(57)【要約】【課題】扉体を開けた時に大きなラッチの衝突音が生じないプッシュ式ダイヤル錠を提供する。【解決手段】プッシュ式ダイヤル錠１０の本体ケース１２にはダイヤル摘み１４が回転可能に配設されている。ダイヤル摘み１４にはダイヤルボタン挿入孔１６が貫通形成され、ダイヤルボタン挿入孔１６にはダイヤルボタン１８が挿入されている。ダイヤル摘み１４の回転軸部１４Ｂには受動板２２と作動板２４が軸支されている。本体ケース１２には連動体２８が移動可能に収容されている。連動体２８にはラッチスライド軸当接部２８Ｃが形成されている。本体ケース１２にはラッチケース３２が取り付けられている。このラッチケース３２のラッチ収容部３２Ａにはラッチ３６がスライド可能に収容されている。ラッチ３６はラッチバネ４２によって付勢されている。【選択図】図１
2008156844.tif 000002
【特許請求の範囲】
【請求項１】
本体ケースと、この本体ケースに回転可能に設けられたダイヤル摘みと、このダイヤル摘みの操作により開錠状態又は施錠状態にできるプッシュ式ダイヤル錠であって、前記ダイヤル摘みに挿入されると共に軸線方向に移動可能なダイヤルボタンと、このダイヤルボタンの軸部に取り付けられると共に開錠状態になると軸線方向に移動可能な連動体と、前記本体ケースに取り付けられたラッチケースと、このラッチケースに出没可能に収容されると共に前記ダイヤルボタンを押すことにより移動する前記連動体によってラッチケースに没入するラッチと、前記ラッチケースに配設されると共に前記ラッチを突出方向に常時付勢するラッチバネと、を有してなることを特徴とするプッシュ式ダイヤル錠。
【請求項２】
本体ケースと、この本体ケースに回転可能に設けられたダイヤル摘みと、このダイヤル摘みの操作により開錠状態又は施錠状態にできるプッシュ式ダイヤル錠であって、前記ダイヤル摘みに挿入されると共に軸線方向に移動可能なダイヤルボタンと、このダイヤルボタンの軸部に取り付けられると共に開錠状態になると軸線方向に移動可能な連動体と、この連動体に形成されたラッチスライド軸当接部と、前記本体ケースに取り付けられたラッチケースと、このラッチケースに出没方向にスライド可能に収容されると共にラッチスライド軸に軸支されたラッチと、前記ラッチケースに配設されると共に前記ラッチを突出方向に常時付勢するラッチバネと、を有してなることを特徴とするプッシュ式ダイヤル錠。
【請求項３】
本体ケースと、この本体ケースに回転可能に設けられたダイヤル摘みと、このダイヤル摘みの操作により開錠状態又は施錠状態にできるプッシュ式ダイヤル錠であって、前記本体ケースに軸線方向に沿って貫通形成された貫通部と、前記本体ケースに回転可能に配設されると共に軸部が前記本体ケースの貫通部に挿入されたダイヤル摘みと、このダイヤル摘みに軸線方向に沿って貫通形成されたダイヤルボタン挿入孔と、このダイヤルボタン挿入孔に挿入されたダイヤルボタンと、このダイヤルボタンの軸部に設けられると共に前記ダイヤル摘みの操作によって解錠状態になると移動可能な連動体と、この連動体に形成されたラッチスライド軸当接部と、前記本体ケースに取り付けられたラッチケースに出没可能に配設されたラッチと、このラッチに挿通されたラッチスライド軸と、前記ラッチケースに収容されて前記ラッチを突出方向に常時付勢するラッチバネと、を有してなることを特徴とするプッシュ式ダイヤル錠。
【請求項４】
前記ダイヤルボタンの表面に符号対応マークを設けたことを特徴とする請求項１、請求項２、請求項３記載のプッシュ式ダイヤル錠。
【発明の詳細な説明】
【技術分野】
【０００１】
本発明は、郵便受箱の扉体等に取り付けられ、扉体等を開ける時にラッチの大きな衝突音がしないプッシュ式ダイヤル錠に関する。
【背景技術】
【０００２】
従来より第三者が郵便受箱の扉体を勝手に開けることができないように扉体にダイヤル錠を取り付けた郵便受箱がある。
この郵便受箱に取り付けられるダイヤル錠の中には扉体を開ける場合は回動可能に設けられたラッチの垂直部が郵便受箱本体に固定されたラッチ受に当接することにより前記ラッチがラッチバネの付勢力に抗して回動してラッチがラッチ受を通過して扉体を開けることができ、前記扉体を閉める場合は前記ラッチの傾斜部が前記ラッチ受に当接することによりラッチバネの付勢力に抗してラッチが没入方向にスライドしてラッチがラッチ受を通過して扉体を閉めることができる構成のものがある（特許文献１）。
しかし、このダイヤル錠は前記扉体を開ける時にラッチ受と当接してラッチ受に押されて回動したラッチがラッチ受を通過するとラッチバネの付勢力により勢いよく元に戻るため、ラッチがダイヤル錠の他の構成部分に強く当たるため、大きなラッチの衝突音が生じるという不具合を有している。
【特許文献１】実公昭５９−２０５３３号公報
【発明の開示】
【発明が解決しようとする課題】
【０００３】
本発明は、上記事実に鑑みなされたものであり、扉体を開けた時に大きなラッチの衝突音が生じないプッシュ式ダイヤル錠を提供するものである。
【課題を解決するための手段】
【０００４】
請求項１の発明は、本体ケースと、この本体ケースに回転可能に設けられたダイヤル摘みと、このダイヤル摘みの操作により開錠状態又は施錠状態にできるプッシュ式ダイヤル錠であって、前記ダイヤル摘みに挿入されると共に軸線方向に移動可能なダイヤルボタンと、このダイヤルボタンの軸部に取り付けられると共に開錠状態になると軸線方向に移動可能な連動体と、前記本体ケースに取り付けられたラッチケースと、このラッチケースに出没可能に収容されると共に前記ダイヤルボタンを押すことにより移動する前記連動体によってラッチケースに没入するラッチと、前記ラッチケースに配設されると共に前記ラッチを突出方向に常時付勢するラッチバネと、を有してなることを特徴としている。
請求項２の発明は、本体ケースと、この本体ケースに回転可能に設けられたダイヤル摘みと、このダイヤル摘みの操作により開錠状態又は施錠状態にできるプッシュ式ダイヤル錠であって、前記ダイヤル摘みに挿入されると共に軸線方向に移動可能なダイヤルボタンと、このダイヤルボタンの軸部に取り付けられると共に開錠状態になると軸線方向に移動可能な連動体と、この連動体に形成されたラッチスライド軸当接部と、前記本体ケースに取り付けられたラッチケースと、このラッチケースに出没方向にスライド可能に収容されると共にラッチスライド軸に軸支されたラッチと、前記ラッチケースに配設されると共に前記ラッチを突出方向に常時付勢するラッチバネと、を有してなることを特徴としている。
請求項３の発明は、本体ケースと、この本体ケースに回転可能に設けられたダイヤル摘みと、このダイヤル摘みの操作により開錠状態又は施錠状態にできるプッシュ式ダイヤル錠であって、前記本体ケースに軸線方向に沿って貫通形成された貫通部と、前記本体ケースに回転可能に配設されると共に軸部が前記本体ケースの貫通部に挿入されたダイヤル摘みと、このダイヤル摘みに軸線方向に沿って貫通形成されたダイヤルボタン挿入孔と、このダイヤルボタン挿入孔に挿入されたダイヤルボタンと、このダイヤルボタンの軸部に設けられると共に前記ダイヤル摘みの操作によって解錠状態になると移動可能な連動体と、この連動体に形成されたラッチスライド軸当接部と、前記本体ケースに取り付けられたラッチケースに出没可能に配設されたラッチと、このラッチに挿通されたラッチスライド軸と、前記ラッチケースに収容されて前記ラッチを突出方向に常時付勢するラッチバネと、を有してなることを特徴としている。
請求項４の発明は前記ダイヤルボタンの表面に符号対応マークを設けたことを特徴としている。
【発明の効果】
【０００５】
本発明は、扉を開けた時にラッチは他の構成部分に強く当たらないので大きなラッチの衝突音が発生するのを確実に防止できるという優れた効果を有する。
また、本発明は、解錠状態になっていても扉体を開ける場合は必ずダイヤルボタンを押さなければならないので、悪戯等で扉体を開けることを可及的に防止できるという優れた効果を有する。
また、請求項４の発明は、上記優れた効果の他にダイヤルボタンの表面に符号対応マークを設けたので、符号対応マークを大きく形成することにより解錠操作、施錠操作を行い易くすることができるという優れた効果を有する。
【発明を実施するための最良の形態】
【０００６】
発明を実施するために最良の形態の例として以下のような実施例を示す。
【実施例１】
【０００７】
図１〜図４には本発明に係るプッシュ式ダイヤル錠の一実施例が示されている。なお、この実施例では本発明のプッシュ式ダイヤル錠１０を郵便受箱１の郵便受箱本体２にヒンジ（図示せず）を介して回動可能に設けられた扉体３に取り付けた場合を例にして説明する。なお、前記郵便受箱本体２の開口部（図示せず）の近傍下部にはラッチ受４が突設されている。また、本発明のプッシュ式ダイヤル錠１０の説明の都合上、図中矢印Ａ方向はプッシュ式ダイヤル錠１０の前方向を、矢印Ｂ方向はプッシュ式ダイヤル錠１０の後方向を、図中矢印Ｃ方向はプッシュ式ダイヤル錠１０の下方向を、矢印Ｄ方向はプッシュ式ダイヤル錠１０の上方向を示す。
図１及び図２に示されるように、本発明のプッシュ式ダイヤル錠１０の本体ケース１２の前部にはフランジ部１２Ａが形成され、このフランジ部１２Ａの後面には連続して筒部１２Ｂが形成されている。前記本体ケース１２の中央には前後方向（軸線方向）に向って貫通部１２Ｃが形成されている。
図４に示されるように、前記本体ケース１２の筒部１２Ｂの下部には開口溝１２Ｄが前後方向に切り欠き形成されている。また、本体ケース１２の筒部１２Ｂの側部にはラッチガイドピン挿通孔１２Ｅ，１２Ｅが貫通形成されている。さらに、前記本体ケース１２のフランジ部１２Ａにはダイヤル摘み１４が回転可能に配設されるようになっている。
図３及び図４に示されるように、このダイヤル摘み１４の表面には数字や英文字等の符号１４Ａが等間隔で１２記載されている。
図１及び図２に示されるように、前記ダイヤル摘み１４の軸部１４Ｂは前記本体ケース１２の貫通部１２Ｃに挿入されている。また、前記ダイヤル摘み１４の中心には前後方向に向ってダイヤルボタン挿入孔１６が貫通形成されている。このダイヤルボタン挿入孔１６にはダイヤルボタン１８が挿入状態で収容されている。このダイヤルボタン１８は前後方向（矢印Ａ，Ｂ方向）に直線移動可能に配設されている。
また、前記ダイヤルボタン挿入孔１６の段部１６Ａにはコイルバネで形成されたダイヤルボタンバネ２０が収容されている。このダイヤルボタンバネ２０には前記ダイヤルボタン１８の軸部１８Ａが挿入されている。また、ダイヤルボタンバネ２０の一端部２０Ａはダイヤルボタン１８に当接し、他端部２０Ｂはダイヤル摘み１４に当接している。従って、前記ダイヤルボタン１８はダイヤルボタンバネ２０によって常時前方向（矢印Ａ方向）に付勢されている。
図３及び図４に示されるように、前記ダイヤルボタン１８の表面には前記符号１４Ａに合わせる三角状の符号対応マーク１８Ｂが設けられている。なお、この実施例のプッシュ式ダイヤル錠１０はダイヤル摘み１４を右方向に２回転した後にダイヤル摘み１４を左方向に回転させて、ダイヤル摘み１４の符号１４Ａの一つである「０」とダイヤルボタン１８の符号対応マーク１８Ｂが対応すると解錠状態になるように予め設定されている（図３の状態）。
図１及び図２に示されるように、前記ダイヤル摘み１４の回転軸部１４Ｂには環状の受動板２２が回転可能に軸支されている。この受動板２２の後面には係止突起片２２Ａが後方に向って突設形成されている。
図４に示されるように、前記受動板２２の外周は前記ダイヤル摘み１４の符号１４Ａの数に合わせた多角形（この実施例では１２角形）に形成されている。この受動板２２には前後方向に沿って受動板解錠溝２２Ｂが１個切り欠き形成されている。
図１及び図２に示されるように、前記ダイヤル摘み１４の回転軸部１４Ｂの後部には環状の作動板２４が軸支されている。この作動板２４は回転軸部１４Ｂと固定されており作動板２４は回転軸部１４Ｂと共に回転するようになっている。
図４に示されるように、前記作動板２４には係止ピン孔２４Ａが複数（実施例では１０個）貫通されている。この係止突起孔２４Ａの１つには前記受動板２２の係止突起片２２Ａと係止可能な係止手段としての係止ピン２４Ｂが前方に向って突設されている。従って、作動板２４が回転して係止ピン２４Ｂが係止突起片２２Ａと係止すると受動板２２は作動板２４に従って回転するが、係止ピン２４Ｂが係止突起片２２Ａと係止していない状態では受動板２２は回転しないようになっている。また、前記作動板２４の外周も前記ダイヤル摘み１４の符号１４Ａの数に合わせた多角形（この実施例では１２角形）に形成されている。前記作動板２４には前後方向に沿って作動板解錠溝２４Ｃが１個切り欠き形成されている。
前記本体ケース１２の内部には板バネ２６，２６が対向して設けられるようになっている。これら板バネ２６と板バネ２６は前記受動板２２と作動板２４の外周を挟むことにより受動板２２と作動板２４が自由に回転するのを阻止している。なお、板バネ２６，２６は前記ダイヤル摘み１４を回転させて作動板２４の係止ピン２４Ｂと受動板２２の係止突起片２２Ａが係止状態になって係止作動板２４と受動板２２が一緒に回転する場合は作動板２４、受動板２２の回転を阻止することはできないが、ダイヤル摘み１４を回転させた場合でも作動板２４の係止ピン２４Ｂと受動板２２の係止突起片２２Ａと係止していない状態では作動板２４の回転は阻止できないが、受動板２２の回転は阻止できるようになっている。
図１及び図２に示されるように前記本体ケース１２には金属製の連動体２８が本体ケース１２内を前後方向（矢印Ａ，Ｂ方向）に直線移動可能に収容されている。
図４に示されるように、この連動体２８には受動板用ロック爪２８Ａと作動板用ロック爪２８Ｂが間隔を置いて下方に向って突設形成されている。この受動板用ロック爪２８Ａは前記受動板２２の前方に位置し、作動板用ロック爪２８Ｂは作動板２４の前方に位置するようになっている。なお、前記受動板用ロック爪２８Ａは前記受動板２２の受動板解錠溝２２Ｂを、作動板用ロック爪２８Ｂは前記作動板２４の作動板解錠溝２４Ｃを、それぞれ通過できるようになっている（図２に示す状態）。
従って、前記連動体２８は受動板用ロック爪２８Ａが前記受動板解錠溝２２Ｂに、作動板用ロック爪２８Ｂが前記作動板解錠溝２４Ｃに対応一致すれば後方向（矢印Ｂ方向）に移動することができるが、受動板用ロック爪２８Ａが前記受動板解錠溝２２Ｂに作動板用ロック爪２８Ｂが前記作動板解錠溝２４Ｃに対応一致しなければ受動板用ロック爪２８Ａは前記受動板２２に当たり作動板用ロック爪２８Ｂは前記作動板２４に当たり後方向（矢印Ｂ方向）に移動できないようになっている。
前記連動体２８の後部には一対のラッチスライド軸当接部２８Ｃが形成されている。このラッチスライド軸当接部２８Ｃの先端は傾斜部２８Ｄが形成されている。また、前記連動体２８には軸部挿入部２８Ｅが貫通形成されている。
図１及び図２に示されるように、この軸部挿入部２８Ｅには前記ダイヤルボタン１８の軸部１８Ａの先端部が挿入されている。また、このダイヤルボタン１８の軸部１８Ａの先端部からタッピングネジ３０が螺入され、前記連動体２８と前記軸部１８Ａを固定している。従って、前記連動体２８は前記ダイヤルボタン１８と共に前後方向（図矢印Ａ，Ｂ方向）に移動可能になっている。
前記本体ケース１２の後部にはラッチケース３２が挿入された状態で取り付けられるようになっている。このラッチケース３２にはラッチ収容部３２Ａが前後方向と直交する上下方向（図矢印Ｃ，Ｄ方向）に向って形成されている。このラッチ収容部３２Ａには対向してラッチスライド軸収容溝３２Ｂ，３２Ｂが上下方向（図矢印Ｃ，Ｄ方向）に向って形成されている。
前記ラッチケース３２の後部には有底のラッチバネ収容部３２Ｃが上下方向（図矢印Ｃ，Ｄ方向）に向って形成されている。また、ラッチケース３２の側部にはラッチガイドピン挿通孔３２Ｄ，３２Ｄが貫通形成されている。
前記ラッチ収容部３２Ａには金属板で形成されたラッチ３６が上下方向（図矢印Ｃ，Ｄ方向）にスライド可能に収容されている。このラッチ３６のラッチ本体部３６Ａは長方形状に形成されている。また、このラッチ本体部３６Ａには前記ラッチ受４と係合可能なラッチ受係合部３６Ｂが連続形成されている。このラッチ受係合部３６Ｂは三角形状に形成され、ラッチ受４と係合するラッチ受係合辺３６Ｃと傾斜したラッチ受押圧辺３６Ｄが形成されている。
前記ラッチ３６にはラッチスライド軸孔３６Ｅが貫通形成されている。このラッチスライド軸孔３６Ｅにはラッチスライド軸３８の中間部３８Ａが挿通されるようになっている。なお、このラッチスライド軸３８の一端部３８Ｂと他端部３８Ｂはそれぞれ前記ラッチスライド軸収容溝３２Ｂ，３２Ｂに収容されるようになっている。
また、前記ラッチ３６には上下方向に向ってラッチガイドピン長孔３６Ｆが貫通形成されている。このラッチガイドピン長孔３６Ｆには本体ケース１２のラッチガイドピン挿通孔１２Ｅ，１２Ｅ及びラッチケース３２のラッチガイドピン挿通孔３２Ｄ，３２Ｄに挿通される割ピンで形成されたラッチスライドピン４０が挿通されている。
図１及び図２に示されるように、前記ラッチケース３２のラッチバネ収容部３２Ｃにはコイルバネで形成されたラッチバネ４２が収容されている。このラッチバネ４２の一端部４２Ａは前記ラッチ３６に当接し、他端部４２Ｂはラッチバネ収容部３２Ｃの底面に当接している。従って、前記ラッチ３６はラッチバネ４２によって常時突出方向（矢印Ｃ方向）に付勢されている。
なお、前記プッシュ式ダイヤル錠１０は図２に示されるように前記郵便受箱１の郵便受箱本体２にヒンジ（図示せず）を介して開閉可能に取り付けられた扉体３に貫通形成されたダイヤル錠装着孔３Ａに挿通された状態でナット４４（図３及び図４に示す）を介して扉体３に固定されている。
【０００８】
次に、郵便受箱１の扉体３に取り付けられた実施例のプッシュ式ダイヤル錠１０の作用について説明する。
閉じられている前記郵便受箱１の扉体３を開ける場合について説明する。
前記郵便受箱１の扉体３を開ける場合はダイヤル摘み１４を右方向に２回転した後にダイヤル摘み１４を左方向に回転させて、ダイヤル摘み１４の符号１４Ａである「０」をダイヤルボタン１８の符号対応マーク１８Ｂに対応させる（図３の状態）。
このダイヤル摘み１４の回転操作により前記作動板２４と受動板２２を回転させて作動板２４の作動板解錠溝２４Ｃと受動板２２の受動板解錠溝２２Ｂを対応一致させることにより前記プッシュ式ダイヤル錠１０は解錠状態になる。
プッシュ式ダイヤル錠１０が解錠状態になったら指等で前記ダイヤルボタン１８を押すとダイヤルボタン１８はダイヤルボタンバネ２０の付勢力に抗して後方向（図矢印Ｂ方向）に移動する。これにより、ダイヤルボタン１８の軸部１８Ａに固定されている連動体２８が後方向に移動するので受動板用ロック爪２８Ａは前記受動板解錠溝２２Ｂを通過し、作動板用ロック爪２８Ｂは前記作動板解錠溝２４Ｃを通過する。
また、前記連動体２８が後方向に移動することによりラッチ軸当接部２８Ｃの傾斜部２８Ｄは前記ラッチスライド軸３８の中間部３８Ａに当接してラッチスライド軸３８を上方向（矢印Ｄ方向）に押し上げるのでラッチスライド軸３８はラッチスライド軸収容溝３２Ｂ，３２Ｂに案内されて上方向（矢印Ｄ方向）にスライドし、ラッチ３６もラッチバネ４２の付勢力に抗して上方向（矢印Ｄ方向）にスライドする。
この結果、前記ラッチ３６のラッチ受係合部３６Ｂは図２において二点破線で示されるようにラッチケース３２の内部に完全に没入するため、この状態のときに扉体３を開けるべく扉体３を前方に引いても前記ラッチ３６のラッチ受係合部３６Ｂはラッチ受４と係合しないので前記扉体３をスムーズに開けることができる。
そして、前記扉体３を開けた後に前記ダイヤルボタン１８を押している指を離すと、ダイヤルボタンバネ２０の付勢力によりダイヤルボタン１８及び連動体２８は前方向（矢印Ａ方向）に移動すると共に前記受動板用ロック爪２８Ａは受動板解錠溝２２Ｂを通過して前記受動板２２の前方に位置し、作動板用ロック爪２８Ｂは作動板解錠溝２４Ｃを通過して前記作動板２４の前方に位置する。
また、前記連動体２８の傾斜部２８Ｄは押圧していたラッチスライド軸３８から離間するのでラッチ３６はラッチバネ４２の付勢力によって勢いよく下方向（矢印Ｃ方向）にスライドしてラッチケース３２から突出するが、ラッチ３６はプッシュ式ダイヤル錠１０の他の構成部分に当たらないのでラッチ音が生じることはない。
次に開けた前記扉体３を閉める場合について説明する。
手等で前記郵便受箱１の扉体３を閉める方向に押すとプッシュ式ダイヤル錠１０の突出状態になっているラッチ３６のラッチ受係合部３６Ｂのラッチ受押圧辺３６Ｄはラッチ受４に当接するが扉体３を押す力によりラッチ３６はラッチバネ４２の付勢力に抗して上方向（矢印Ｄ方向）にスライドする。
従って、前記ラッチ３６のラッチ受係合部３６Ｂはラッチ受４に押されてラッチケース３２に没入するので前記扉体３を閉める方向に押してもラッチ３６はラッチ受４に邪魔されないので前記扉体３を閉めることができる。
前記ラッチ３６がラッチ受４を通過するとラッチ３６はラッチバネ４２の付勢力により下方向（矢印Ｃ方向）にスライドする。これにより、ラッチ３６のラッチ受係合部３６Ｂのラッチ受係合辺３６Ｃとラッチ受４が対応関係になりラッチ３６とラッチ受４は係合状態になる（図２で一点破線で示すラッチ３６のラッチ受係合部３６Ｂとラッチ受４の状態）。
最後に、前記ダイヤル摘み１４を左方向又は右方向に適当量に回転させて、前記ダイヤル摘み１４の回転軸部１４Ｂに固定されている作動板２４を回転させることにより作動板２４の作動板解錠溝２４Ｃと前記連動体２８の作動板用ロック爪２８Ｂが一致対応しないようにする。これによりプッシュ式ダイヤル錠１０は施錠状態になる。
従って、予め設定された解錠条件に従ってダイヤル摘み１４を回転しない限りダイヤルボタン１８を後方向に押すことはできないので、前記解錠条件を知らない第三者が勝手に扉体３を開けることはできない。
なお、本発明のプッシュ式ダイヤル錠１０は解錠状態になっていても扉体３を開ける場合は必ずダイヤルボタン１８を押すというワンアクションが必要になるので、単に扉体３を開けようとして扉体３を引っ張っても扉体３を開けることができないので扉体３を開ける悪戯を可及的に防ぐことができる。
また、実施例では前記ダイヤルボタン１８の表面に符号対応マーク１８Ｂを設けたので、符号対応マーク１８Ｂを大きく又は小さく形成することができ、符号対応マーク１８Ｂを大きく形成することにより符号対応マーク１８Ｂが見易くなると共に符号対応マーク１８Ｂをダイヤル摘み１４の符号１４Ａと合わせ易くなるので、老人や視力の悪い人にとって解錠操作、施錠操作が行い易いという利点を有する。
さらに、実施例のプッシュ式ダイヤル錠１０はラッチ３６が上下方向だけのスライド運動だけであるため、ラッチがスライド運動、回動運動するダイヤル錠に比べて施錠強度を向上できると共に扉体３を閉めた際の扉体３のバタツキ音を抑えることができる。
【０００９】
なお、実施例ではプッシュ式ダイヤル錠１０を郵便受箱１の扉体３に取り付けた場合を例にして説明したが、本願発明のプッシュ式ダイヤル錠１０の適用範囲は郵便受箱１に限定されるものでないことは勿論である。
また、実施例ではプッシュ式ダイヤル錠１０を郵便受箱１の扉体３の下部に取り付けて郵便受箱本体２の内側下部に設けたラッチ受４と係合させる場合を例にして説明したが、プッシュ式ダイヤル錠１０の取付位置等はこれに限定されるものでないことは勿論である。
なお、実施例ではラッチ３６は直線的なスライドでラッチケース３２から出没できるようにしたが、ラッチ３６がラッチケース３２から出没する動きは直線的なスライドに限定されるものではなく、例えばラッチ３６が回動することによりラッチケース３２から出没できるようにしてもよいことは勿論である。
【図面の簡単な説明】
【００１０】
【図１】ラッチが突出状態の実施例のプッシュ式ダイヤル錠の縦断面図である。
【図２】ラッチがスライド途中状態の実施例のプッシュ式ダイヤル錠の縦断面図である。
【図３】実施例のプッシュ式ダイヤル錠の全体斜視図である。
【図４】実施例のプッシュ式ダイヤル錠の分解斜視図である。
【符号の説明】
【００１１】
１０    プッシュ式ダイヤル錠
１２    本体ケース
１２Ａ  フランジ部
１２Ｂ  筒部
１２Ｃ  貫通部
１４    ダイヤル摘み
１４Ａ  符号
１４Ｂ  軸部
１６    ダイヤルボタン挿入孔
１８    ダイヤルボタン
１８Ｂ  符号対応マーク
２０    ダイヤルボタンバネ
２２    受動板
２２Ａ  係止突起片
２２Ｂ  受動板解錠溝
２４    作動板
２４Ａ  係止ピン孔
２４Ｃ  作動板解錠溝
２６    板バネ
２８    連動体
２８Ａ  受動板用ロック爪
２８Ｂ  作動板用ロック爪
２８Ｃ  ラッチスライド軸当接部
２８Ｅ  軸部挿入部
３２    ラッチケース
３２Ａ  ラッチ収容部
３２Ｃ  ラッチバネ収容部
３６    ラッチ
３６Ａ  ラッチ本体部
３６Ｂ  ラッチ受係合部
３８    ラッチスライド軸
４２    ラッチバネ
【図１】
2008156844.tif 000003
【図２】
2008156844.tif 000004
【図３】
2008156844.tif 000005
【図４】
2008156844.tif 000006